(57)【要約】      （修正有）【課題】持ち運びが容易で、かつ、使用時には、机上用としても、床上用としても使用できるポータブル扇風機を提供する。【解決手段】ポータブル扇風機１０は、所定の厚みを有する板状容器で、蓄電池が内蔵されている基台部１１と、所定の厚みを有する籠状容器で、モータ１３およびモータにより回転されるファン１４が収容されている送風部１２と、下端が基台部１１に連結され、上端が送風部１２に連結されていて、転倒状態と立設状態とに変位可能であり、転倒状態では、基台部１１内に納まり、基台部１１上に送風部１２が積み重なった一体の容器体を形成し、立設状態では、基台部１１から垂直に上方へ立ち上がり、送風部１２を送風動作可能に支持する支柱１６とを有する。【選択図】図１３
0003225783.tif 000002
【実用新案登録請求の範囲】
【請求項１】
所定の厚みを有する板状容器で、蓄電池が内蔵されている基台部と、
所定の厚みを有する籠状容器で、モータおよびモータにより回転されるファンが収容されている送風部と、
下端が前記基台部に連結され、上端が前記送風部に連結されていて、転倒状態と立設状態とに変位可能であり、転倒状態では、前記基台部内に納まり、前記基台部上に前記送風部が積み重なった一体の容器体を形成し、立設状態では、前記基台部から垂直に上方へ立ち上がり、前記送風部を送風動作可能に支持する支柱と、
を有する、ポータブル扇風機。
【請求項２】
前記支柱は、下端が前記基台部の中央奥部に、転倒状態と垂直上方へ立ち上がった状態とに回動可能に連結され、上端が前記送風部の背面下部から突出する連結部と回動可能に連結されていて、前記送風部は支柱に沿うように折り畳まれた状態と、支柱の上端から支柱の長さ方向に立ち上がった送風状態とに回動可能になっている、請求項１に記載のポータブル扇風機。
【請求項３】
前記支柱は、前記立設状態において、支柱が前記基台部に対して回動しないようにロックするロック機構が備えられている、請求項１又は２に記載のポータブル扇風機。
【請求項４】
前記ロック機構は、支柱に外嵌され、支柱の外周面を覆う円筒状で、回転されることにより、上下に摺動移動する操作部材と、支柱の下方部に嵌合され、前記操作部材が下方へ摺動移動されたときに、支柱下端の回動を阻止するために前記基台部表面を押圧する固定部材とを含む、請求項３に記載のポータブル扇風機。
【請求項５】
前記支柱は、外径が徐々に小さくなる多数の筒体が多層組みされた伸縮可能な首部を有し、首部の上端が前記送風部の連結部に回動可能に連結されている、請求項２〜４のいずれか一項に記載のポータブル扇風機。
【考案の詳細な説明】
【技術分野】
【０００１】
本考案は、持ち運びが容易で、かつ、机上用にも、床上用にも使用できるポータブル扇風機に関する。
【背景技術】
【０００２】
この種の扇風機として、特許文献１や特許文献２に記載の扇風機が公知である。
特許文献１に記載の折り畳み式扇風機は、安定して設置することができ、構成も簡素化可能で携帯性に優れたものとされているが、使用時の態様において、ファンの高さを高くできない等の課題がある。
特許文献２に記載の扇風機は、床面上で自立してファンを適度な高さで掲げることはできるが、ファンが一対のアームで支えられており、携帯性、収容性に改善すべき課題がある。
【先行技術文献】
【特許文献】
【０００３】
【特許文献１】実用新案登録第３１５０９３６号公報
【特許文献２】実用新案登録第３１９１８７１号公報
【考案の概要】
【考案が解決しようとする課題】
【０００４】
本考案の目的は、上記公知の扇風機の有する課題を解決し、持ち運びが容易で、かつ、使用時には、机上用としても、床上用としても使用できるポータブル扇風機を提供することにある。
【課題を解決するための手段】
【０００５】
本考案は、上記目的を達成するためのものであり、請求項１に係る考案は、所定の厚みを有する板状容器で、蓄電池が内蔵されている基台部と、所定の厚みを有する籠状容器で、モータおよびモータにより回転されるファンが収容されている送風部と、下端が前記基台部に連結され、上端が前記送風部に連結されていて、転倒状態と立設状態とに変位可能であり、転倒状態では、前記基台部内に納まり、前記基台部上に前記送風部が積み重なった一体の容器体を形成し、立設状態では、前記基台部から垂直に上方へ立ち上がり、前記送風部を送風動作可能に支持する支柱と、を有する、ポータブル扇風機である。
【０００６】
請求項２に係る考案は、前記支柱は、下端が前記基台部の中央奥部に、転倒状態と垂直上方へ立ち上がった状態とに回動可能に連結され、上端が前記送風部の背面下部から突出する連結部と回動可能に連結されていて、前記送風部は支柱に沿うように折り畳まれた状態と、支柱の上端から支柱の長さ方向に立ち上がった送風状態とに回動可能になっている、請求項１に記載のポータブル扇風機である。
【０００７】
請求項３に係る考案は、前記支柱は、前記立設状態において、支柱が前記基台部に対して回動しないようにロックするロック機構が備えられている、請求項１又は２に記載のポータブル扇風機である。
請求項４に係る考案は、前記ロック機構は、支柱に外嵌され、支柱の外周面を覆う円筒状で、回転されることにより、上下に摺動移動する操作部材と、支柱の下方部に嵌合され、前記操作部材が下方へ摺動移動されたときに、支柱下端の回動を阻止するために前記基台部表面を押圧する固定部材とを含む、請求項３に記載のポータブル扇風機である。
【０００８】
請求項５に係る考案は、前記支柱は、外径が徐々に小さくなる多数の筒体が多層組みされた伸縮可能な首部を有し、首部の上端が前記送風部の連結部に回動可能に連結されている、請求項２〜４のいずれか一項に記載のポータブル扇風機である。
【考案の効果】
【０００９】
本考案のポータブル扇風機は、基台部と送風部と、それらを連結する支柱とを有しており、携帯時や収納時は、支柱が基台部内に納まり、基台部上に送風部が積み重なって一体となった容器体となる。よって、携帯性に優れ、また、収容スペースも小さく、持ち運びも容易である。
本考案のポータブル扇風機は、使用時には、基台部から支柱が立ち上り、その上端で送風部を送風動作可能に支持する。支柱は、立設状態で基台部に固定され、また、基台部内には蓄電池という重量物が内蔵されているから、基台部によって支柱はしっかりと保持される。支柱は、伸縮可能な首部を有し、首部の上端に送風部が連結されている。よって、首部を伸ばすことにより、送風部の高さを、机上用に適した高さから床上用に適した高さ迄、自在に変えることができる。
【図面の簡単な説明】
【００１０】
【図１】本考案の一実施形態に係るポータブル扇風機１０の斜視図であり、収納・携帯時の形態を示す図である。
【図２】本考案の一実施形態に係るポータブル扇風機１０の平面図であり、収納・携帯時の形態を示す図である。
【図３】本考案の一実施形態に係るポータブル扇風機１０の底面図であり、収納・携帯時の形態を示す図である。
【図４】本考案の一実施形態に係るポータブル扇風機１０の正面図であり、収納・携帯時の形態を示す図である。
【図５】本考案の一実施形態に係るポータブル扇風機１０の背面図であり、収納・携帯時の形態を示す図である。
【図６】本考案の一実施形態に係るポータブル扇風機１０の右側面図であり、収納・携帯時の形態を示す図である。
【図７】本考案の一実施形態に係るポータブル扇風機１０の左側面図であり、収納・携帯時の形態を示す図である。
【図８】本考案の一実施形態に係るポータブル扇風機１０の送風部１２を開く様子を表わす第１の斜視図である。
【図９】本考案の一実施形態に係るポータブル扇風機１０の送風部１２を開く様子を表わす第２の斜視図である。
【図１０】本考案の一実施形態に係るポータブル扇風機１０の送風部１２を開く様子を表わす第３の斜視図である。
【図１１】本考案の一実施形態に係るポータブル扇風機１０の机上用としての使用状態を示す第１の斜視図である。
【図１２】本考案の一実施形態に係るポータブル扇風機１０の机上用としての使用状態を示す第２の斜視図である。
【図１３】本考案の一実施形態に係るポータブル扇風機１０の机上用としての使用状態を示す右側面図である。
【図１４】図１４は、支柱１６の構造を説明するための図で、（Ａ）は支柱１６が立設状態でロック機構１７がアンロック状態の一部切欠き部分正面図であり、（Ｂ）は支柱１６が立設状態でロック機構１７がロック状態の一部切欠き部分正面図である。
【図１５】基台部１１及び支柱１６の構造を説明するための平面図で、支柱１６が転倒状態の図である。
【図１６】送風部１２の連結部１２１の構造を説明するための図である。
【図１７】本考案の一実施形態に係るポータブル扇風機１０の床上用としての使用状態を示す正面図である。
【図１８】本考案の他の実施形態に係るポータブル扇風機３０の斜視図である。
【考案を実施するための形態】
【００１１】
以下では、図面を参照して、本考案の実施形態について具体的に説明をする。
図１〜図７は、本考案の一実施形態に係るポータブル扇風機１０の収納・携帯時の形態を示す図である。図１は斜視図、図２は平面図、図３は底面図、図４は正面図、図５は背面図、図６は右側面図、図７は左側面図である。
図１〜図７を参照して、ポータブル扇風機１０は、携帯、保管、収納等の非使用時の形態が、短円柱形状の容器体を形成している。当該容器体は、一例として樹脂により成型されていて、基台部１１と送風部１２との積層構造により構成されている。基台部１１は、所定の厚みＴ１を有し、平面視が直径Ｄの円形の容器形状をし、その内部には、後述するように、蓄電池（一例として、リチウムイオン電池）が内蔵されている。送風部１２は、所定の厚みＴ２を有し、平面視が直径Ｄの円形の籠型容器形状をしており、その中には、モータ１３及びこのモータ１３により回転されるファン１４が収容されている。ここで、上記厚みＴ１、Ｔ２、直径Ｄは、一例として、Ｔ１＝３５ｍｍ、Ｔ２＝５５ｍｍ、Ｄ＝１９５ｍｍの寸法であってもよい。
【００１２】
基台部１１の外周面の所定位置には、図４の正面図に示すように、送風部１２を開く目的である「ＯＰＥＮ」と上向き矢印のマークＭ１が刻印されていてもよい。また、送風部１２には、図５の背面図に示すように、基台部１１の外周面の開く目印Ｍ１が刻印された角度位置と１８０°隔たる角度位置に、送風部１２を閉じる目印である「ＣＬＯＳＥ」と下向き矢印のマークＭ２が刻印されていてもよい。
【００１３】
さらに、基台部１１の外周面の所定位置には、図５の背面図等に示すように、内蔵された蓄電池を充電するための例えばマイクロＵＳＢコネクタ（メス）１５が配置されていてもよい。
図８、図９及び図１０は、ポータブル扇風機１０の送風部１２を基台部１１から開く様子を表わす斜視図であり、図８、図９及び図１０に示す手順で、送風部１２が開かれる。より詳しくは、図４に示す送風部１２を開く目印Ｍ１の角度位置において、送風部１２を上に持ち上げると、送風部１２はその角度位置の部位が基台部１１から浮き上がる。そして、その状態で、送風部１２の１８０°隔たる角度位置の部位（目印Ｍ２の部位）を基台部１１から持ち上げた状態が図８に示す状態である。そして、さらに基台部１１から送風部１２全体を持ち上げると、基台部１１と送風部１２とを連結している支柱１６が斜めに起き上がり、図９に示す状態となる。その後、図１０に示すように、支柱１６を徐々に立ち上げつつ、横向きに寝ていた送風部１２を縦向きになるように起こし、最終的には、図１１、図１２及び図１３に示す使用状態に変位させる。
【００１４】
図１４は、支柱１６の構造を説明するための図で、（Ａ）は、支柱１６が立設状態で、ロック機構１７がアンロック状態の一部切欠き部分正面図であり、（Ｂ）は、支柱１６が立設状態で、ロック機構１７がロック状態の一部切欠き部分正面図である。また、図１５は、基台部１１及び支柱１６の構造を説明するための平面図で、支柱１６が転倒状態の図である。
【００１５】
ポータブル扇風機１０は、図８〜図１３に示す状態に変化できるよう、支柱１６は、次の構成を有している。
図１４及び図１５を主として参照して、支柱１６は、その下端１６１が基台部１１に連結されている。より具体的には、支柱１６の下端１６１は、基台部１１の平面視において、中央奥部１１１において、基台部１１と回動可能に連結されている。基台部１１の中央奥部１１１には、支柱１６の下端１６１を受け入れるための凹部１１２が形成され、凹部１１２内に支柱１６の下端１６１が嵌められている。支柱１６の下端１６１は、左右両側へ突出する回動軸芯１６２を有している。回動軸芯１６２は基台部１１内へ進入しており、基台部１１により回動可能に保持されている。基台部１１には、支柱１６が転倒状態のとき、支柱１６を受け入れるための凹溝１１３が形成されている。凹溝１１３は、平面視において、基台部１１の中央奥部１１１から中央前方へと延びている。凹部１１３は、支柱１６が下端１６１を支点にして前方へ倒れたとき、支柱１６全体を基台部１１内に収容する。なお、この実施形態のように、基台部１１には、平面視において、前方部に凹溝１１３に連設された凹部１１４が形成されていてもよい。
【００１６】
基台部１１の凹部１１２、凹溝１１３及び凹部１１４が形成されていない領域には、電源電池としての例えばリチウムイオン電池等の蓄電池２０が内蔵されている。基台部１１の上面１１５には、平面視円形の操作ボタン２１が設けられ、操作ボタン２１の周囲に、ファン１４の動作モードや、蓄電池２０の充電状態を示す４つのパイロットランプ２２が配置されていてもよい。
【００１７】
支柱１６は、転倒状態では、基台部１１の凹溝１１３内に納まっている。そして、扇風機として動作させる場合には、支柱１６を、下端１６１を中心に回動して立ち上げ、図１４に示す立設状態にする。
支柱１６には、立設状態において、基台部１１に対して立設状態から回動して変位しないようにするロック機構１７が備えられている。図１４（Ａ）は、ロック機構１７が解除されたアンロック状態の支柱１６の正面図であり、図１４（Ｂ）は、ロック機構１７が作動しているロック状態の支柱１６下方部の正面図である。
【００１８】
図１４（Ａ）及び（Ｂ）を参照して、ロック機構１７は、支柱本体１６０に外嵌され、支柱本体１６０の外周面を覆う長円筒状の操作部材１７１と、支柱本体１６０の下方部に外嵌された固定部材１７２とを含んでいる。
固定部材１７２は、リング状で、支柱本体１６０を外嵌している基部１７３と、基部１７３と一体化しており、基部１７３の前方から下方へ突出する爪部１７４とを含んでいる。爪部１７４は、基台部１１に形成された凹部１１２の幅と同等の幅を有し、凹部１１２に入り込むことにより、固定部材１７２が支柱本体１６０に対して回動・回転するのを阻止するためのものである。固定部材１７２は、さらに、基部１７３に一体化しており、基部１７３から上方へ伸び出た短円筒状の連結部１７５を備えている。連結部１７５の外周面には、環状の凹凸が形成されている。操作部材１７１の下方部の内周面にも、環状の凹凸が形成されている。そして、操作部材１７１の下方部は、固定部材１７２の連結部１７５に外嵌されていて、操作部材１７１の内周面の環状の凹凸と連結部１７５の外周面の環状の凹凸とが嵌合している。
【００１９】
さらに、支柱本体１６０の外周面には、支柱本体１６０の例えば下方部において、ねじ溝が切られており、操作部材１７１の内周面にも、支柱本体１６０のねじ溝とねじ係合するねじ溝が切られている。
このため、操作部材１７１を、例えば、左回りに回転させると、操作部材１７１は支柱本体１６０とねじ係合しているので、支柱本体１６０に沿って上方へ変位する。また、操作部材１７１の上方への変位に伴い、固定部材１７２も支柱本体１６０に沿って上方へ移動する。支柱本体１６０の上端には、止め環１６３が設けられており、操作部材１７１の上方への移動は止め環１６３に当たって止まる。
【００２０】
この状態では、図１４（Ａ）に示すように、固定部材１７２の基部１７３は、操作部材１７１の上昇に連動して上方へ上がっていて、基台部１１の上面から浮き上がっている。よって、支柱１６は、下端１６１を中心に基台部１１に対して前方へ回動することができる。
一方、操作部材１７１を、例えば右回りに回転させると、操作部材１７１は支柱本体１６０に沿って下方へ変位する。操作部材１７１の下方への変位に伴い、固定部材１７２も支柱本体１６０に沿って下方へ移動する。そして、操作部材１７１を例えば右回りに回転させ続けると、固定部材１７２の基部１７３が基台部１１の上面に圧接し、この状態で操作部材１７１は回転できなくなる。
【００２１】
この状態が、図１４（Ｂ）に示すもので、支柱１６は、下端１６１を中心に基台部１１に対して前方へ回動することができず、支柱１６が基台部１１に対して立設状態で固定された状態となる。
図１３を主として参照して、支柱１６は、支柱本体１６０の上端に設けられた止め環１６３から上方へ伸び出た首部１８を有する。首部１８は、支柱本体１６０に対して回転しないように、かつ、支柱本体１６０の上端から伸び出た長さが変化しないように設けられた円筒状の環体である。そして、首部１８の内部には、外径が徐々に小さくなる複数個の円筒体１９が、複数層に組み込まれている。一例として、首部１８の内部には、外径が大きいものから小さいものへと、順に、第１円筒体１９１、第２円筒体１９２、第３円筒体１９３、第４円筒体１９４、第５円筒体１９５及び第６円筒体１９６の６層に段組みされた円筒体１９が組み込まれている。なお、当該６層に段組みされた円筒体１９を伸ばした状態が、図１７に示す首を伸ばした使用状態として示されている。
【００２２】
支柱１６の上端は、上方へ伸び出た首部１８に内装された複数個の円筒体１９の最内側の円筒体１９６の上端であり、円筒体１９（１９６）の上端には、送風部１２が連結されている。より具体的には、送風部１２の背面下部には、後方へ突出する連結部１２１が設けられている。
図１６に示すように、連結部１２１は、送風部１２の外形を区画する籠状容器１２２の背面下部において、籠状容器と一体的に形成され、後方へ突出する一対の保持片１２３と、一対の保持片１２３間に設けられ、摩擦抵抗を備えて回動可能に連結されたリング体１２４と、リング体１２４から下方へ突出する固定管１２５とを備えている。そして、固定管１２５が円筒体１９（１９６）の上端に挿入されて固定されることにより、円筒体１９（１９６）の上端に送風部１２が連結されている。
【００２３】
円筒体１９（１９６）の上端に連結された送風部１２は、円筒体１９（１９６）に対して、上記一対の保持片１２３とリング体１２４とによって、前後方向に回動可能となっている。
従って、送風部１２は、支柱１６に沿うように折り畳まれた状態と、支柱１６から上方へ伸び出た首部１８の上端から支柱１６の長さ方向に立ち上がった送風状態とに回動し得る。
【００２４】
本実施形態のポータブル扇風機１０は、図１１、図１２及び図１３に示すように、首部１８を伸ばさずに、机上用に適した状態で使用することができるし、また、図１７に示すように、首部１８から円筒体１９を伸ばして、床上用に適した状態で使用することもできる。さらに、首部１８から伸ばす円筒体１９の伸ばし量を調整することで、基台部１１からの送風部１２の高さを自由に調整できる。また、首部１８に対して送風部１２を前後に傾けることができるから、送風部１２からの風向きを、上下に調整できる。
【００２５】
本考案に係るポータブル扇風機は、上記実施形態のものに限定されるものではない。
例えば、図１８に示すポータブル扇風機３０のように、基台部１１が所定の厚み有する平面視矩形の容器体で、かつ、送風部１２が、所定の厚みを有する矩形状の籠状容器で、収納時に基台部１１に積み重なって一体の直方体状又は立方体状の容器体を形成するものとしてもよい。
【００２６】
その他、本考案は請求項記載の範囲内において、種々の変更が可能である。
【符号の説明】
【００２７】
１０、３０    ポータブル扇風機
１１    基台部
１２    送風部
１３    モータ
１４    ファン
１５    マイクロＵＳＢコネクタ（メス）
１６    支柱
１７    ロック機構
１８    首部
１９、１９１、１９２、１９３、１９４、１９５、１９６    円筒体
２０    蓄電池
２１    操作ボタン
２２    パイロットランプ
１１１    中央奥部
１１２、１１４    凹部
１１３    凹溝
１１５    上面
１２１、１７５    連結部
１２２    籠状容器
１２３    保持片
１２４    リング体
１２５    固定管
１６０    支柱本体
１６１    下端
１６２    回動軸芯
１６３    止め環
１７１    操作部材
１７２    固定部材
１７３    基部
１７４    爪部
１７５    連結部
【図１】
0003225783.tif 000003
【図２】
0003225783.tif 000004
【図３】
0003225783.tif 000005
【図４】
0003225783.tif 000006
【図５】
0003225783.tif 000007
【図６】
0003225783.tif 000008
【図７】
0003225783.tif 000009
【図８】
0003225783.tif 000010
【図９】
0003225783.tif 000011
【図１０】
0003225783.tif 000012
【図１１】
0003225783.tif 000013
【図１２】
0003225783.tif 000014
【図１３】
0003225783.tif 000015
【図１４】
0003225783.tif 000016
【図１５】
0003225783.tif 000017
【図１６】
0003225783.tif 000018
【図１７】
0003225783.tif 000019
【図１８】
0003225783.tif 000020